(57)【要約】【課題】点滴筒が曇り易い状況であっても、液柱を形成して流下する薬液に対して投薬を示すランプを精度よく点灯又は点滅させることのできる薬液検出装置を提供する。【解決手段】発光素子１１ａ及び受光素子１１ｂで薬液１２０の落下軌跡を挟み、受光素子１１ｂからの信号の入力に基づいて薬液１２０の投薬を投薬中ランプ２１ａ等の報知部で報知する。更に、この発光素子１１ａと受光素子１１ｂよりなるセンサ１１から出力される断続信号が一定間隔よりも短くなると、その後のセンサ１１から信号が未出力の間、報知部に信号を入力する信号入力部を備える。【選択図】図２
2015173893.tif 000002
【特許請求の範囲】
【請求項１】
薬液ボトルにチューブを介して連通する点滴筒内を落ちる薬液を検出する薬液検出装置であって、
信号の入力に基づいて前記薬液の投薬を報知する報知部と、
前記薬液の落下軌跡を挟む発光素子及び受光素子を有し、前記報知部に信号を入力するセンサと、
前記センサから出力される信号の間隔が一定間隔よりも短くなると、その後の前記センサから信号が未出力の間、前記報知部に信号を入力する信号入力部と、
を備えること、
を特徴とする薬液検出装置。
【請求項２】
前記信号入力部は、
前記センサから出力される断続信号が一定間隔よりも短くなると、信号出力状態を保持するラッチ部と、
前記センサから前記ラッチ部を介さずに前記報知部に至る第１の信号経路と、
前記センサから前記ラッチ部を介して前記報知部に至る第２の信号経路と、
を備え、
前記報知部は、前記第１の信号経路及び前記第２の信号経路の少なくとも何れかより入力される信号に対応して投薬中を報知すること、
を特徴とする請求項１記載の薬液検出装置。
【請求項３】
前記センサから出力される断続信号の周波数に比例した電圧信号をセット信号として前記ラッチ部に出力する電圧変換器を備え、
前記ラッチ部は、前記一定間隔よりも短い断続信号に基づく電圧信号をセット信号として受け取ること、
を特徴とする請求項２記載の薬液検出装置。
【請求項４】
前記ラッチ部は、前記センサから信号が未出力の間、前記信号出力状態を保持すること、
を特徴とする請求項２又は３記載の薬液検出装置。
【請求項５】
前記報知部は、
投薬中を示すランプであること、
を特徴とする請求項１乃至４の何れかに記載の薬液検出装置。
【請求項６】
前記報知部は、
前記投薬中を示すランプに加えて、投薬終了を示すランプを備えること、
を特徴とする請求項５記載の薬液検出装置。
【請求項７】
前記報知部は、
投薬終了を示すブザー音を出力するスピーカを備えること、
を特徴とする請求項５又は６記載の薬液検出装置。
【発明の詳細な説明】
【技術分野】
【０００１】
本発明は、薬液ボトルにチューブを介して連通する点滴筒内を落ちる薬液を検出する薬液検出装置に関する。
【背景技術】
【０００２】
一般的に、点滴法により薬液を被検体に投与する場合の関心事項は、投薬速度と投薬終了のタイミングである。そのため、従来、投薬担当者は、点滴ボトルと点滴針との間に介挿された点滴筒を落下する薬液を目視し、投薬速度と投薬終了のタイミングを確認していた。しかし、医師や看護師の不足により、投薬担当者の職務は多岐に亘り、点滴を絶えず監視することが困難となっている。そのため、点滴筒内を落ちる薬液を検出する薬液検出装置が提案されている（例えば、特許文献１参照。）。
【０００３】
この薬液検出装置は、センサによって薬液の落下を検出しており、検出対象とする薬液は、点滴薬である。センサは、発光素子と受光素子とから構成されており、点滴筒を取り付けるセンサホルダに内蔵されている。センサホルダには、挿入口が貫設されており、当該挿入口に点滴筒が挿入されることによって、センサホルダに取り付けられる。
【０００４】
センサホルダに点滴筒が取り付けられた状態で、発光素子と受光素子は、点滴液の落下軌跡を挟み込むように対向する。点滴液が滴下されたタイミングでは、発光素子と受光素子との間に点滴液が存在するため、発光素子から出射した光が当該点滴液により阻害され、受光素子の受光量は小さくなる。そのため、受光素子から信号が一定間隔で出力されれば、点滴液が順調に滴下されていることを検出することができる。点滴液を検出した場合には、ランプを点灯させ、点滴液を所定時間以上検出できない場合には、終了のブザー音を出力することで、投薬速度や投薬終了を投薬担当者に報知することができる。
【先行技術文献】
【特許文献】
【０００５】
【特許文献１】登録実用新案第３０５５２８０号公報
【発明の概要】
【発明が解決しようとする課題】
【０００６】
ここで、医療現場において、点滴法により投薬される薬液は点滴薬に限られず、麻酔薬についても点滴法により被検体へ投薬される。医療現場では、この麻酔薬についても検出可能な薬液検出装置が要望されている。尚、麻酔薬の投薬は、薬液ボトルと点滴筒との間に介在するチューブの途中から麻酔薬を合流させる手法を採る場合が多い。
【０００７】
しかしながら、点滴薬の点滴筒内での落下態様は滴下であるが、麻酔薬の点滴筒内での落下態様は液柱を形成する流下である。つまり、受光素子から出力される信号は、回路の態様によるが常にＨｉ信号又はＬｏ信号となる。発光素子と受光素子との間が遮られることにより受光素子から出力される信号が常にＨｉ信号又はＬｏ信号となるのは、液柱が形成されている他にも点滴筒が曇った状態がある。
【０００８】
そのため、麻酔薬等の液温が室温よりも高い場合、ランプの点灯が液柱に起因しているのか、点滴筒の曇りに起因しているのか区別がつかなくなってしまう虞がある。また、液柱と曇りとを区別できても、その信号の出力強度は極めて不安定となり、薬液検出装置が誤作動となる虞もある。そのため、最悪の場合、薬液検出装置に対する信頼性が低下してしまい、投薬担当者の点滴監視作業の労力を減らすことができなくなる。
【０００９】
本発明は、上記のような問題点を解決するために提案されたもので、液温が室温より高い薬液を液柱の形成により投与する場合であっても、その液柱の形成に対して投薬を示すランプを精度よく点灯又は点滅させることのできる薬液検出装置を提供することを目的とする。
【課題を解決するための手段】
【００１０】
上記目的を達成すべく、本発明に係る薬液検出装置は、薬液ボトルにチューブを介して連通する点滴筒内を落ちる薬液を検出する薬液検出装置であって、信号の入力に基づいて前記薬液の投薬を報知する報知部と、前記薬液の落下軌跡を挟む発光素子及び受光素子を有し、前記報知部に信号を入力するセンサと、前記センサから出力される信号の間隔が一定間隔よりも短くなると、その後の前記センサから信号が未出力の間、前記報知部に信号を入力する信号入力部と、を備えること、を特徴とする。
【００１１】
前記信号入力部は、前記センサから出力される断続信号が一定間隔よりも短くなると、信号出力状態を保持するラッチ部と、前記センサから前記ラッチ部を介さずに前記報知部に至る第１の信号経路と、前記センサから前記ラッチ部を介して前記報知部に至る第２の信号経路と、を備え、前記報知部は、前記第１の信号経路及び前記第２の信号経路の少なくとも何れかより入力される信号に対応して投薬中を報知するようにしてもよい。
【００１２】
前記センサから出力される断続信号の周波数に比例した電圧信号をセット信号として前記ラッチ部に出力する電圧変換器を備え、前記ラッチ部は、前記一定間隔よりも短い断続信号に基づく電圧信号をセット信号として受け取るようにしてもよい。
【００１３】
前記ラッチ部は、前記センサから信号が未出力の間、前記信号出力状態を保持するようにしてもよい。
【００１４】
前記報知部は、投薬中を示すランプであるようにしてもよい。
【００１５】
前記報知部は、前記投薬中を示すランプに加えて、投薬終了を示すランプを備えるようにしてもよい。
【００１６】
前記報知部は、投薬終了を示すブザー音を出力するスピーカを備えるようにしてもよい。
【発明の効果】
【００１７】
本発明によれば、点滴筒に曇りが生じやすい環境下であっても、液柱を形成して流下する薬液に対して精度よく投薬中ランプを点灯させることができ、装置の信頼性が高まる。
【図面の簡単な説明】
【００１８】
【図１】本実施形態に係る薬液検出装置の概略構成を示す模式図である。
【図２】投薬中ランプを点灯又は点滅させる信号入力部の回路図である。
【図３】薬液の滴下間隔が長い場合の回路内各部の出力を示すグラフである。
【図４】薬液の滴下間隔が短い場合の回路内各部の出力を示すグラフである。
【図５】薬液の滴下間隔が短くなってから液柱に変化した場合の回路内各部の出力を示すグラフである。
【図６】薬液が液柱を形成した後に滴下に戻った場合の回路内各部の出力を示すグラフである。
【図７】他の実施形態に係る薬液検出装置の概略構成を示す模式図である。
【発明を実施するための形態】
【００１９】
以下、本発明に係る薬液検出装置の実施形態について図面を参照しつつ詳細に説明する。図１は、本実施形態に係る薬液検出装置の概略構成を示す模式図である。この薬液検出装置１は、センサホルダ１０とアラーム本体２０とを備える。センサホルダ１０には、薬液１２０を検出するセンサ１１が内蔵されている。センサホルダ１０とアラーム本体２０とは、ケーブルにより接続されている。センサホルダ１０の出力信号がケーブルを介してアラーム本体２０に入力され、片やアラーム本体２０が備える電源から電力がケーブルを介してセンサホルダ１０へ供給される。アラーム本体２０は、センサ１１の信号出力結果に応じて投薬状態を報知する報知手段でもある。薬液１２０は、薬用効果を有する液体であり、点滴液や麻酔薬である。報知する投薬状態は、ランプの点灯又は消灯による薬液１２０の投薬中又は投薬終了である。
【００２０】
薬液１２０は、図示しない薬液ボトルスタンドに吊された薬液ボトル１００に収容されており、薬液ボトル１００からチューブを通って点滴筒１１０に流入する。点滴筒１１０内では、薬液１２０は、チューブと導通する滴下口１４０から滴下または液柱１２１を形成して流下し、下部に一時的に貯留される。チューブには、滴下量を調整するホイールが設けられており、ホイールを回転させることで滴下速度が調整される。液柱１２１を形成する場合、ホイールを回転させて滴下の間隔を徐々に短くして液柱１２１に至らせる。
【００２１】
センサホルダ１０は、この点滴筒１１０に着脱可能に取り付けられる。すなわち、センサホルダ１０には、点滴筒１１０が挿入される挿入口１３が設けられている。挿入口１３は、センサホルダ１０の上面から下面へセンサホルダ１０を貫いて設けられる。点滴筒１１０は、この挿入口１３に挿入される。センサホルダ１０には、点滴筒１１０を挟持するアダプタ３０が着脱自在に取り付けられる。アダプタ３０は、点滴筒１１０を周囲から一定圧力で挟持する板状部材である。このアダプタ３０には、挿入口１３と対応する位置に嵌合孔３１が設けられている。嵌合孔３１は、点滴筒１１０を圧嵌する。
【００２２】
アラーム本体２０は、薬液検出装置１の使用状態において、薬液ボトルスタンドに吊される。アラーム本体２０は、紐部材２０ａを有し、この紐部材２０ａを薬液ボトルスタンドに引っ掛けることで、薬液ボトル１００と共に吊される。紐部材２０ａは、両端がアラーム本体２０の上端面に固定されている。これにより、センサホルダ１０にアラーム本体２０の荷重が掛からず、センサホルダ１０の点滴筒１１０からの離脱可能性が低下している。このアラーム本体２０には、投薬中ランプ２１ａを備えている。投薬中ランプ２１ａは、滴下する薬液１２０が検出されると点滅し、液柱１２１が検出されると点灯する。
【００２３】
図２は、センサ１１の回路図である。センサ１１は、光を出射する発光素子１１ａと、発光素子１１ａから出射した光の受光量に応じた強度の信号Ａを出力する受光素子１１ｂとを備える。センサ１１の発光素子１１ａと受光素子１１ｂは、挿入口１３を介して対向して設けられ、点滴筒１１０の挿入時には薬液１２０の落下軌跡を挟む。すなわち、発光素子１１ａと受光素子１１ｂとを結ぶ仮想線は、点滴筒１１０内の滴下口１４０から下方に降ろした仮想の円柱と交差する。発光素子１１ａは、例えば発光ダイオードである。受光素子１１ｂは、例えばフォトトランジスタであり、光電効果により光がベース電流に変換され、エミッタとコレクタとの間に電気信号が流れる。
【００２４】
アラーム本体２０内には、投薬中ランプ２１ａを点灯又は点滅させる信号入力部となして各種電子部品が備えられている。すなわち、センサ１１には増幅器２３と混合器２４が直列に繋がれ、混合器２４の出力側に投薬中ランプ２１ａが接続されている。増幅器２３は、２系統の出力を有し、第１の系統は混合器２４に接続され、第２の系統は電圧変換器２５に接続されている。電圧変換器２５には、ラッチ回路２６が接続されている。ラッチ回路２６は、電圧変換器２５の出力をセット信号とする。このラッチ回路２６の出力側は混合器２４に接続されている。入力される。すなわち、混合器２４は、増幅器２３の出力とラッチ回路２６の出力を混合して投薬中ランプ２１ａに出力する。また、センサ１１には、増幅器２３と並列にリセット回路２７が接続されている。リセット回路２７は、ラッチ回路２６にリセット信号を出力する。
【００２５】
この電圧変換器２５は、例えばＦＶコンバータであり、パルス周波数に比例した電圧信号をセット信号としてラッチ回路２６に入力する。つまり、電圧変換器２５は、受光素子１１ｂの信号出力間隔に比例した電圧信号をラッチ回路２６に入力する。ラッチ回路２６は、電圧変換器２５が出力する電圧信号がハイレベルである場合に出力をハイレベルにセットする。リセット回路２７は、受光素子１１ｂが信号を出力すると、ラッチ回路２６にリセット信号を入力する。この回路によると、受光素子１１ｂが出力する信号の連続間隔が一定以下となると、ラッチ回路２６がハイレベルの電圧信号を混合器２４に入力し始める。また、ラッチ回路２６がハイレベルの電圧信号を出力している最中、受光素子１１ｂが信号未出力から信号出力の状態に変化すると、ラッチ回路２６にリセット信号が入力される。
【００２６】
このような回路構成を有するセンサ１１の動作について、図３乃至６を参照しつつ説明する。尚、薬液１２０が麻酔薬等である場合、その流下態様は液柱１２１であるが、この液柱１２１は薬液１２０の滴下間隔を早めることで形成される。すなわち、液柱１２１は、薬液１２０の滴下が開始され、その滴下間隔が早くなっていき、ついには液柱１２１が形成される。そして、薬液ボトル１００が空になる過程では、再び薬液１２０の滴下間隔が遅くなり、ついには薬液１２０の滴下されなくなる。図３は、薬液１２０が一定間隔Ｓよりも長い間隔で滴下されている状態を示し、図４は、液薬１２０が一定間隔Ｓよりも短い間隔の滴下に遷移した状態を示し、図５は、薬液１２０が液柱１２１となった状態を示し、図６は、薬液１２０が液柱１２１から滴下に遷移した状態を示す。
【００２７】
図３の（ａ）に示すように、薬液１２０の滴下が開始された状態では、薬液１２０の滴下間隔は、一定間隔Ｓよりも長い。このとき、受光素子１１ｂは、薬液１２０の粒が発光素子１１ａと受光素子１１ｂとの間を遮ると信号を出力せず、薬液１２０の粒と粒の空間と発光素子１１ａと受光素子１１ｂとの間が一致すると信号を出力する。そのため、受光素子１１ｂは、一定間隔Ｓよりも長いパルス周期の断続信号を出力する。
【００２８】
その断続信号は、増幅器２３で増幅されて混合器２４に入力される。また、その断続信号は、増幅器２３で増幅されて電圧変換器２５に入力される。電圧変換器２５は、一定間隔Ｓよりも長いパルス周期に反比例した電圧信号をラッチ回路２６にセット信号として出力する。一定間隔Ｓは、電圧変換器２５が電圧信号に変換した際に、その電圧信号がラッチ回路２６のセット信号としての作動電圧に至る程度である。すなわち、図３の（ｂ）に示すように、一定間隔Ｓよりも長いパルス周期に比例した電圧信号は、ラッチ回路２６においてはセット信号として成立せず、ラッチ回路２６は、図３の（ｃ）に示すように、この電圧信号の出力状態を保持しない。従って、図３に示すように、薬液１２０の滴下間隔が一定間隔Ｓよりも長い場合には、混合器２４には、増幅器２３から直接出力された断続信号のみが入力され、混合器２４は、図３の（ｄ）に示すように、其の断続信号を投薬中ランプ２１ａに出力する。そのため、投薬中ランプ２１ａは、増幅器２３から混合器２４に直接至る系統に従って点滅する。
【００２９】
次に、図４の（ａ）に示すように、薬液１２０の滴下間隔が一定間隔Ｓよりも短くなると、受光素子１１ｂは、一定間隔Ｓよりも短いパルス周期の断続信号を出力する。その断続信号は、増幅器２３で増幅されて混合器２４に入力される。また、その断続信号は、増幅器２３で増幅されて電圧変換器２５に入力される。電圧変換器２５は、一定間隔Ｓよりも短いパルス周期に反比例した電圧信号をラッチ回路２６にセット信号として出力する。このとき、図４の（ｂ）に示すように、電圧変換器２５が出力する電圧信号は、ラッチ回路２６の作動電圧に至ってセット信号として成立し、ラッチ回路２６は、図４の（ｃ）に示すように、この電圧信号の出力状態を保持する。従って、薬液１２０の滴下間隔が一定間隔Ｓよりも短くなると場合には、混合器２４には、増幅器２３とラッチ回路２６からの信号が入力され、図４の（ｄ）に示すように、その混合の結果である信号が投薬中ランプ２１ａに出力される。投薬中ランプ２１ａは、この断続信号により点灯する。
【００３０】
更に、図５の（ａ）に示すように、薬液１２０が液柱１２１を形成すると、発光信号１１ａと受光信号１１ｂとの間は、液柱１２１により絶えず遮られることとなり、受光信号１１ｂは信号を出力しなくなる。但し、液柱１２１を形成する直前までは、受光信号１１ｂが信号を出力しており、その出力信号は、液柱１２１の形成が一定間隔Ｓよりも滴下間隔が短いプロセスを経ていることにより、ラッチ回路２６に保持されている。そのため、増幅器２３から混合器２４に直接至る系統には信号が流れていないが、図５の（ｂ）に示すように、ラッチ回路２６から保持された信号が連続的に出力されているため、混合器２４は、図５の（ｃ）に示すように、その信号を投薬中ランプ２１ａへ出力し続け、投薬中ランプ２１ａは、連続的に点灯する。すなわち、この薬液検出装置１は、液柱１２１を直接検出するのではなく、一定間隔Ｓよりも短い断続信号の出力を経て受光素子１１ｂからの出力が無信号状態となる現象を捉えて、液柱１２１の形成とみなしている。
【００３１】
そして、図６の（ａ）に示すように、再び滴下の速度を遅くした場合、受光素子１１ｂが無信号状態から再び信号出力状態となる。そのため、図６の（ｂ）に示すように、リセット回路２７が作動し、ラッチ回路２６にリセット信号を出力する。このリセット信号を受けたラッチ回路２６は、図６の（ｃ）に示すように、滴下間隔が一定間隔Ｓよりも短くなることにより保持した信号をリセットする。そうすると、再び滴下の速度を遅くすると、図６の（ｄ）に示すように、増幅器２３から混合器２４に直接入力される系統を経る断続信号により投薬中ランプ２１ａが点滅状態に移行する。
【００３２】
ここで、薬液１２０の液温が室内よりも高い場合には、点滴筒１１０内を曇らせ、発光素子１１ａと受光素子１１ｂとの間の受光を遮ることとなる。しかしながら、ラッチ回路２６が既に投薬中ランプ２１ａに出力する信号を保持している。そのため、薬液検出装置１は、曇りが生じて信号が不安定になってしまったとしても、液柱１２１が流下している間は投薬中ランプ２１ａを安定的に点灯させることができるものである。すなわち、液柱１２１を検出するために、液柱１２１そのものを検出するのではなく、液柱１２１が形成されるプロセス、より具体的には薬液１２０の滴下間隔が一定間隔Ｓよりも短くなり、やがて受光素子１１ｂが信号を出力しなくなるという現象を捉えることで、液柱１２１の形成中に投薬中ランプ２１ａを安定的に点灯させることができるものである。
【００３３】
以上のように、本実施形態に係る薬液検出装置１は、発光素子１１ａ及び受光素子１１ｂで薬液１２０の落下軌跡を挟み、受光素子１１ｂからの信号の入力に基づいて薬液１２０の投薬を投薬中ランプ２１ａ等の報知部で報知する。更に、この発光素子１１ａと受光素子１１ｂよりなるセンサ１１から出力される断続信号が一定間隔よりも短くなると、その後のセンサ１１から信号が未出力の間、報知部に信号を入力する信号入力部を備える。これにより、点滴筒１１０に曇りが生じやすい環境下であっても、液柱１２１を形成して流下する薬液１２０に対して精度よく報知部が投薬を報知することができ、薬液検出装置１の信頼性が高まる。
【００３４】
この信号入力部は、センサ１１から出力される断続信号が一定間隔よりも短くなると、信号出力状態を保持するラッチ回路２６を備えるようにすればよい。そして、センサ１１からラッチ回路２６を介さずに報知部に至る第１の信号経路と、センサ１１からラッチ回路２６を介して報知部に至る第２の信号経路を設け、報知部は、第１の信号経路及び第２の信号経路の少なくとも何れかより入力される信号に対応して投薬中を報知するようにすればよい。
【００３５】
また、センサ１１から出力される断続信号の周波数に比例した電圧信号をセット信号としてラッチ回路２６に出力する電圧変換器２５を備え、ラッチ回路２６は、一定間隔Ｓよりも短い断続信号に基づく電圧信号をセット信号として受け取るようにすればよく、ラッチ回路２６は、センサ１１から信号が未出力の間、信号出力状態を保持すればよい。
【００３６】
尚、本実施形態では、液薬検出装置１に投薬中ランプ２１ａのみを備える場合を説明したが、アラーム本体２０には、図７に示すように投薬終了ランプ２１ｂとスピーカ２２ａとボリューム摘み２２ｂとを更に備えるようにしてもよい。投薬終了ランプ２１ｂは、薬液１２０が検出されなければ点灯する。スピーカ２２ａは、薬液１２０が所定時間以上検出されなければブザー音を出力する。ボリューム摘み２２ｂは、可変抵抗器に接続され、回転角に応じて可変抵抗器の抵抗値を変更し、ブザー音の音量を調節する。
【符号の説明】
【００３７】
１  薬液検出装置
１０  センサホルダ
１１  センサ
１１ａ  発光素子
１１ｂ  受光素子
１３  挿入口
２０  アラーム本体
２０ａ  紐部材
２１ａ  投薬中ランプ
２１ｂ  投薬終了ランプ
２２ａ  スピーカ
２２ｂ  ボリューム摘み
２３  増幅器
２４  混合器
２５  電圧変換器
２６  ラッチ回路
２７  リセット回路
３０  アダプタ
３１  嵌合孔
１００  薬液ボトル
１１０  点滴筒
１２０  薬液
１２１  液柱
１４０  滴下口
【図１】
2015173893.tif 000003
【図２】
2015173893.tif 000004
【図３】
2015173893.tif 000005
【図４】
2015173893.tif 000006
【図５】
2015173893.tif 000007
【図６】
2015173893.tif 000008
【図７】
2015173893.tif 000009
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
薬液ボトルにチューブを介して連通する点滴筒内を落ちる薬液を検出する薬液検出装置であって、
前記薬液の投薬を報知する報知部と、
前記薬液の落下軌跡を挟む発光素子及び受光素子を有するセンサと、
前記センサと前記報知部との間に介在する信号入力部と、
を備え、
前記センサは、前記信号入力部に第１の信号を入力し、
前記信号入力部は、
前記第１の信号を受けると前記報知部に第２の信号を入力し、
前記センサから出力される前記第１の信号の間隔が一定間隔よりも短くなると、その後の前記センサから前記第１の信号が未出力の間、前記報知部に前記第２の信号を入力し、
前記報知部は、
前記信号入力部から出力される前記第２の信号に基づいて前記薬液の投薬を報知すること、
を特徴とする薬液検出装置。
【請求項２】
前記信号入力部は、
作動電圧に至ったセット信号の入力によって信号出力状態を保持するラッチ部と、
前記センサから断続的に出力される前記第１の信号が一定間隔よりも短くなると、前記作動電圧に至ったセット信号を前記ラッチ部へ出力するセット信号出力手段と、
前記センサから前記セット信号出力手段及び前記ラッチ部を介さずに前記報知部に至る第１路の信号経路と、
前記センサから前記セット信号出力手段及び前記ラッチ部を介して前記報知部に至る第２路の信号経路と、
を備え、
前記報知部は、前記第１路の信号経路及び前記第２路の信号経路の少なくとも何れかの信号経路より入力される前記第２の信号に対応して投薬中を報知すること、
を特徴とする請求項１記載の薬液検出装置。
【請求項３】
前記セット信号出力手段は、前記センサから出力される断続信号の周波数に比例した電圧信号を前記ラッチ部に出力する電圧変換器であり、
前記ラッチ部は、作動電圧に至った電圧信号を信号出力状態を保持するセット信号として受け取ること、
を特徴とする請求項２記載の薬液検出装置。
【請求項４】
前記ラッチ部は、前記センサから前記第１の信号が未出力の間、前記信号出力状態を保持すること、
を特徴とする請求項２又は３記載の薬液検出装置。
【請求項５】
前記報知部は、
投薬中を示すランプであること、
を特徴とする請求項１乃至４の何れか一項に記載の薬液検出装置。
【請求項６】
前記報知部は、
前記投薬中を示すランプに加えて、投薬終了を示すランプを備えること、
を特徴とする請求項５記載の薬液検出装置。
【請求項７】
前記報知部は、
投薬終了を示すブザー音を出力するスピーカを備えること、
を特徴とする請求項５又は６記載の薬液検出装置。
【手続補正２】
【補正対象書類名】明細書
【補正対象項目名】００１０
【補正方法】変更
【補正の内容】
【００１０】
上記目的を達成すべく、本発明に係る薬液検出装置は、薬液ボトルにチューブを介して連通する点滴筒内を落ちる薬液を検出する薬液検出装置であって、前記薬液の投薬を報知する報知部と、前記薬液の落下軌跡を挟む発光素子及び受光素子を有するセンサと、前記センサと前記報知部との間に介在する信号入力部と、を備え、前記センサは、前記信号入力部に第１の信号を入力し、前記信号入力部は、前記第１の信号を受けると前記報知部に第２の信号を入力し、前記センサから出力される前記第１の信号の間隔が一定間隔よりも短くなると、その後の前記センサから前記第１の信号が未出力の間、前記報知部に前記第２の信号を入力し、前記報知部は、前記信号入力部から出力される前記第２の信号に基づいて前記薬液の投薬を報知すること、を特徴とする。
【手続補正３】
【補正対象書類名】明細書
【補正対象項目名】００１１
【補正方法】変更
【補正の内容】
【００１１】
前記信号入力部は、作動電圧に至ったセット信号の入力によって信号出力状態を保持するラッチ部と、前記センサから断続的に出力される前記第１の信号が一定間隔よりも短くなると、前記作動電圧に至ったセット信号を前記ラッチ部へ出力するセット信号出力手段と、前記センサから前記セット信号出力手段及び前記ラッチ部を介さずに前記報知部に至る第１路の信号経路と、前記センサから前記セット信号出力手段及び前記ラッチ部を介して前記報知部に至る第２路の信号経路と、を備え、前記報知部は、前記第１路の信号経路及び前記第２路の信号経路の少なくとも何れかの信号経路より入力される前記第２の信号に対応して投薬中を報知するようにしてもよい。
【手続補正４】
【補正対象書類名】明細書
【補正対象項目名】００１２
【補正方法】変更
【補正の内容】
【００１２】
前記セット信号出力手段は、前記センサから出力される断続信号の周波数に比例した電圧信号を前記ラッチ部に出力する電圧変換器であり、前記ラッチ部は、作動電圧に至った電圧信号を信号出力状態を保持するセット信号として受け取るようにしてもよい。
【手続補正５】
【補正対象書類名】明細書
【補正対象項目名】００１３
【補正方法】変更
【補正の内容】
【００１３】
前記ラッチ部は、前記センサから前記第１の信号が未出力の間、前記信号出力状態を保持するようにしてもよい。